(57)【要約】【課題】  形状、大きさを問わず平均に定量のペレット燃料を供給し、紛状になったペレット燃料をも通常のペレット燃料と一緒に供給可能にする。【解決手段】  ベース５上の前側に前側本体７を立設せしめると共にベース上の後側に後側本体９を立設せしめ、前側本体内に燃料皿１７を備えた燃焼室１９を設け、燃焼室の上方に熱交換板２１を介して温風吹き出し口２３を備えた暖気ダクト２５を設け、後側本体内に前記温風吹き出し口から温風を室内に吹き出すための送風ファン３７、燃焼室から排気を室外へ排気するための排気ファン３３を収納したファン収納部３９を設け、ファン収納部の上方に、ペレットを収納せしめるペレットタンク４１を設け、ペレットタンクの下部に、ペレット供給調整装置４５を設け、ペレット供給調整装置から燃料皿にペレットを供給するペレット用シュート４７タを、前側本体の側壁とペレット供給調整装置とに接続してあることを特徴とする。【選択図】図１
2005061713.tif 000002
【特許請求の範囲】
【請求項１】
ベース上の前側に前側本体を立設せしめると共に前記ベース上の後側に後側本体を立設せしめ、
前記前側本体内に燃料皿を備えた燃焼室を設け、この燃焼室の上方に熱交換板を介して温風吹き出し口を備えた暖気ダクトを設け、
前記後側本体内に前記温風吹き出し口から温風を室内に吹き出すための送風ファン、前記燃焼室から排気を室外へ排気するための排気ファンを収納したファン収納部を設け、このファン収納部の上方に、ペレットを収納せしめるペレットタンクを設け、
このペレットタンクの下部に、ペレット供給調整装置を設け、
このペレット供給調整装置から前記燃焼室の燃料皿にペレットを供給するペレット用シュートを、前記前側本体の側壁と前記ペレット供給調整装置とに接続して設けてなることを特徴とするペレットストーブ。
【請求項２】
前記ペレット供給調整装置が、上下方向に３層の上、中、下板から構成されていると共に、上板にペレット供給口を、下板にペレット排出口を、中板に前記ペレット供給口からペレット排出口に連通可能で、ペレットの量を適宜量一時的に溜めておく適数の貯留室を設け、前記中板が回転可能であることを特徴とする請求項１記載のペレットストーブ。
【請求項３】
前記ベースに対して前側本体および後側本体がそれぞれ着脱可能に設けられていることを特徴とする請求項１または２記載のペレットストーブ。
【請求項４】
前記燃焼室、熱交換板および暖気ダクトが鋳物からなっていることを特徴とする請求項１、２または３記載のペレットストーブ。
【請求項５】
前記暖気ダクトが正面からみて少なくとも上下に分割されていると共に左右方向に複数の温風吹き出し口を備えていることを特徴とする請求項１、２、３または４記載のペレットストーブ。
【請求項６】
前記送風ファン、排気ファンをそれぞれ制御し、送風量、排気量を調整する制御部を備えていることを特徴とする請求項１、２、３、４または５記載のペレットストーブ。
【請求項７】
前記燃料皿を薪用燃焼受け皿に交換可能に設けてなることを特徴とする請求項１〜６の何れか記載のペレットストーブ。
【請求項８】
前記熱交換板と暖気ダクトとを耐熱パッキンを挟んで接合し、前記暖気ダクト内に空気浄化フイルタを備えていることを特徴とする請求項１〜７の何れか記載のペレットストーブ。
【発明の詳細な説明】
【技術分野】
【０００１】
この発明は、今まで捨てられていた木の皮や木屑を集めて固めたペレット（木の皮、木くずを固めた固形物）を燃料としたペレットストーブに関する。
【背景技術】
【０００２】
ペレットストーブは従来から良く知られており、１９８０年代に一時製作されたが、そのときには技術が伴わず普及されずになってしまっていた。そして、最近になって前記ペレットも大量生産が可能になってきていると共に、人と地球環境にやさしい点でペレットスト−ブが脚光を浴びつつつつある。
【０００３】
今までのペレット燃料を供給する供給方式としてはスクリュ−方式、切り出し方式が知られている。この従来の供給方式では、燃料の形状、大きさによりブリッジ現象がでやすく、また、粉状になった燃料に対応できないという問題があった。
【０００４】
また、従来のペレットストーブは特に燃焼室とペレットタンクが一体構造でできているため、搬入および据付けに制約があった。
【特許文献１】実公昭５９−１１２８１号公報
【発明の開示】
【発明が解決しようとする課題】
【０００５】
ところで、上述した特に、ペレット燃料の形状、大きさによりブリッジ現象がでやすく、また、粉状になった燃料に対応できないという点と、連続的に長時間運転できない点、搬入および据付けに制約がある点を解決するためになされたものである。
【課題を解決するための手段】
【０００６】
この発明のペレットストーブは、ベース上の前側に前側本体を立設せしめると共に前記ベース上の後側に後側本体を立設せしめ、前記前側本体内に燃料皿を備えた燃焼室を設け、この燃焼室の上方に熱交換板を介して温風吹き出し口を備えた暖気ダクトを設け、前記後側本体内に前記温風吹き出し口から温風を室内に吹き出すための送風ファン、前記燃焼室から排気を室外へ排気するための排気ファンを収納したファン収納部を設け、このファン収納部の上方に、ペレット燃料を収納せしめるペレットタンクを設け、このペレットタンクの下部に、ペレット供給調整装置を設け、このペレット供給調整装置から前記燃焼室の燃料皿にペレット燃料を供給するペレット用シュートを、前記前側本体の側壁と前記ペレット供給調整装置とに接続して設けてなることを特徴とする構成である。
【０００７】
この発明のペレットストーブは、前記ペレットストーブにおいて、前記ペレット供給調整装置が、上下方向に３層の上、中、下板から構成されていると共に、上板にペレット供給口を、下板にペレット排出口を、中板に前記ペレット供給口からペレット排出口に連通可能で、ペレットの量を適宜量一時的に溜めておく適数の貯留室を設け、前記中板が回転可能であることを特徴とする構成である。
【０００８】
この発明のペレットストーブは、前記ペレットストーブにおいて、前記ベースに対して前側本体および後側本体がそれぞれ着脱可能に設けられていることを特徴とする構成である。
【０００９】
この発明のペレットストーブは、前記ペレットストーブにおいて、前記燃焼室、熱交換板および暖気ダクトが鋳物からなっていることを特徴とする構成である。
【００１０】
この発明のペレットストーブは、前記ペレットストーブにおいて、前記暖気ダクトが正面からみて少なくとも上下に分割されていると共に左右方向に複数の温風吹き出し口を備えていることを特徴とする構成である。
【００１１】
この発明のペレットストーブは、前記ペレットストーブにおいて、前記送風ファン、排気ファンをそれぞれ制御し、送風量、排気量を調整する制御部を備えていることを特徴とする構成である。
【００１２】
この発明のペレットストーブは、前記ペレットストーブにおいて、前記燃料皿を薪用燃焼受け皿に交換可能に設けてなることを特徴とする構成である。
【００１３】
この発明のペレットストーブは、前記ペレットストーブにおいて、前記熱交換板と暖気ダクトとを耐熱パッキンを挟んで接合し、前記暖気ダクト内に空気浄化フイルタを備えていることを特徴とする構成である。
【発明の効果】
【００１４】
この発明によれば、上部に設けられたペレットタンクからペレット燃料が投入され、ペレット供給調整装置によりペレット燃料の供給が調整されてペレット用シュートを経て燃焼室の燃焼皿に自動供給されて長時間連続して運転することができる。室外から供給された新鮮な空気によりペレット燃料は燃焼され、ペレットの暖かい炎は上部に設けられた熱交換板を暖めて送風ファンの作動により暖気ダクトの温風吹き出し口からクリーンな風で室内を暖めることができる。排気ファンにより室外に出されるペレット燃料の排気は二酸化炭素の発生が少ないクリーンな排気をすることができる。しかも、形状、大きさを問わず平均に定量のペレット燃料を供給することができると共に紛状になったペレット燃料を通常のペレット燃料と一緒に供給することが可能である。したがって、人と地球環境にやさしいペレットストーブを提供することができると共に燃料費も灯油と同等またはそれ以下に安くでき、ランニングコストも低減することができる。
【発明を実施するための最良の形態】
【００１５】
以下、この発明の実施の形態について図面を参照して詳細に説明する。
【００１６】
図１および図２を参照するに、ペレットストーブ１としては例えば矩形形状のベース３を備えており、このベース３の下部には複数の脚５が設けられていて、この脚５が例えば室内の床上に据え付けられる。前記ベース３上の前側（図１において左側）には前側本体７が例えばボルトなどで着脱可能に設けられていると共に前記ベース３上の後側（図１において右側）には後側本体９が例えばボルトなどで着脱可能に設けられている。
【００１７】
前記前側本体７内の下部は物入スペース１１となっており、この物入スペース１１上には灰トレー１３が設けられている。この灰トレー１３の上方には燃焼ボックス１５が設けられている。この燃焼ボックス１５には燃焼皿１７が設けられている。前記燃焼ボックス１５の上方が燃焼室１９となっている。さらに、この燃焼室１９の上方には熱交換板２１を介して温風吹き出し口２３を備えた暖気ダクト２５が設けられている。前記燃焼室１９の前方にはフロントドア２７が開閉可能に設けられている。
【００１８】
前記後側本体９内の下部には制御部２９が設けられている。この制御部２９の上方にはフレーム３１が後側本体９に取り付けられていて、前記フレーム３１上には排気ファン３３が設けられていると共に前記フレーム３１にはブラケット３５が上下方向に取り付けられていて、このブラケット３５には送風ファン３７が設けられている。この送風ファン３７と前記排気ファン３３とを収納せしめたファン収納部３９となっている。
【００１９】
このファン収納部３９の上方にはペレット燃料を貯留せしめておくペレットタンク４１が設けられていて、このペレットタンク４１の上部にはタンク蓋４３が開閉可能に設けられている。また、前記ペレットタンク４１の下部にはペレット供給調整装置４５が設けられている。
【００２０】
前記前側本体７の図１および図２において右側壁における開口部にはペレットシュート４７の下部が接合されていると共にこのペレットシュート４７の上部が前記ペレット供給調整装置４５の左下部に接続されている。前記灰トレー１３が設けられている前側本体７の図１および図２において右側壁における開口部には排気ダクト４９の一端（左端）が接合されていると共に排気ダクト４９の他端（右端）が前記排気ファン３３が接続されている。しかも、排気ファン３３の排気口５１には排気管５３の一端（左端）が接合されていると共に排気管５３の他端（右端）が壁５５を介して室外に突出されている。
【００２１】
前記燃焼ボックス１５が設けられている前側本体７の図１および図２において右側壁における開口部には吸気管５７の一端（左端）が接合されていると共に吸気管５７の他端（右端）は前記後側本体９の前後に設けられている開口部を通して前記壁５５を介して室外に突出されている。また、前記前側本体７の図１および図２において上方の右側壁と前記後側本体９の図１および図２において上方の左側壁にブラケット５９を介して取付けられているプレート６１の下端とに、送風ダクト６３の一端（左端）が接合されていると共に送風ダクト６３の他端（右端）が前記送風ファン３７に接続されている。また、前記プレート６１と前記後側本体９の図１および図２において左側壁との間には上下方向に延伸した遮熱板６５が設けられている。
【００２２】
前記燃焼室１９を形成している一部の前記前側本体７の図１および図２において右側壁には温度センサ６７が取り付けられていると共に前記フレーム３１上には転倒センサ６９が、また、前記排気ファン３３の一部には風量センサ７１が取り付けられている。
【００２３】
前記ペレット供給調整装置４５をより詳細に説明すると、図３、図４、図５および図６に示されているように、上下方向に３層の上板７３、例えば円盤状の中板７５、下板７７から構成されていると共に、上板７３の図４および図５において右側の上下における中央部には例えば直径Ａからなる１個のペレット供給口７９が形成されている。下板７７の図３および図６において左側の上下における中央部には例えば直径Ａからなる１個のペレット排出口８１が形成されている。前記中板７５の円周上には前記ペレット供給口７９からペレット排出口８１に連通可能な適数例えば８個の直径Ａ、厚さＢからなるペレットの量を適宜量一時的に溜めておく貯留室８３が等間隔に形成されている。前記中板７５は回転可能に設けられている。例えば前記下板７７の中央下方部には減速機８５を介してインダクションモータ８７が取り付けられている。前記減速機８５には上方向へ延伸された出力軸８９が突出されていて、この出力軸８９には前記中板７５およびブリッジブレイカー（回転翼）９１が装着されている。
【００２４】
上記構成により、例えば長さ１〜２ｃｍ、直径６ｍｍ程度のペレット燃料の供給を図２により説明すると、ペレット燃料がペレットタンク４１の上部に設けられたタンク蓋４３を開けて投入口から矢印で示したごとくペレットタンク４１に投入される。投入口は大きく開けてあるので袋からペレット燃料を直接入れることが可能である。例えばペレットタンク４１の容量は約２５ｋｇ程度となっている。そして、図３に示されているインダクションモータ８７を駆動せしめて出力軸８９を回転させることにより、ブリッジブレイカー（回転翼）９１が回転されてペレット燃料がつまるのを防止すると共に、スムーズにペレット燃料がペレット供給口７９に供給される。
【００２５】
また、出力軸８９を図２において矢印で示したごとく例えば反時計方向回りに回転させることにより、中板７５が回転されて前記ペレット供給口７９と８個の貯留室８３のうちの４個の貯留室８３とが順次重なり合って、ペレット供給口７９から各貯留室８３へ落下して一時的に貯留されながら、中板７５がさらに回転されて順次４個の貯留孔８３がペレット排出口８１に重なることで、ペレット燃料はペレット排出口８１から定量ずつ（１個の貯留孔８３に貯留された量ずつ）ペレットシュート４７を通ってへ矢印で示したごとく燃焼皿１７に落下する。燃焼後の灰は灰トレー１３に落下する。飛び散った灰のほとんどが灰トレー１３に集まり、貯まった灰は定期的に掃除されることできれいになる。灰トレー１３に貯まった灰はフロントドア２７を開けて灰トレー１３を引き出し室外へ排出される。しかも、灰は肥料として使用することができる。
【００２６】
前記ペレット供給調整装置４５によるペレット燃料の供給の一例として、貯留孔８３の直径Ａ、厚さＢにもよるが、インダクションモータ８７の固有の減速率により、運転８秒で１回の供給サイクルで、例えば停止４０秒、運転８秒での低速運転（１．６リットル／時間）、停止２０秒、運転１６秒での中速運転（４．２リットル／時間）、停止１２秒、運転１６秒での高速運転（５．４リットル／時間）の３段階切換が可能となる。
【００２７】
つぎに、図１により燃焼法を説明すると、燃焼用の空気は室外から矢印で示したごとく吸気管５７により供給される。したがって、室内の気圧は変化しないものである。そして、吸気管５７を通って燃焼室１９に吸い込まれた新鮮な空気が燃焼皿１７にあるペレット燃料を効率よく燃焼させる。燃焼されたペレットの暖かい炎は上方にある熱交換板２１を暖める。このとき、有害物質が少なくクリーンな排気は燃焼室１９の側面を通って排気ファン３３に集まり、排気ファン３３を作動させることで室外へ排気される。木材１００％のペレットからでる排気は二酸化炭素の発生が少ないとてもクリーンである。しかも、排気管５３は図に示したような直管型でなく、既存の垂直型でも対応可能である。
【００２８】
室内の床面付近の冷たくなった空気を矢印ａで示したごとく吸い込み、本体の熱によってプレヒートされた空気は矢印ｂで示したごとく送風ファン３７の作動により押し出されて、矢印ｃで示したごとく熱交換パイプからなる暖気ダクト２５を通って暖かな風になって温風吹き出し口２３より室内へ送られて部屋が暖められる。しかも、石油ファンヒータや小型ガスファンヒータのように燃焼ガスを室内に出さないので、部屋の空気を汚すことはない。
【００２９】
前記ペレット供給調整装置４５を採用したことにより、定量のペレット燃料を供給することができると共に例えば４８時間連続して長時間運転することができる。しかも、ペレット燃料の形状、大きさを問わず平均に供給することができ、さらに、紛状になった燃料を通常のペレット燃料と一緒に供給することが可能である。
【００３０】
前記ベース３に対して前側本体７および後側本体９がそれぞれ着脱可能に設けられているので、搬入および据付けの制約が解除されて搬入および据付けを容易に行うことができる。この場合にはペレットシュート４７、排気ダクト４９および送風ダクト６３は前側本体７と一緒に着脱されるものである。
【００３１】
前記燃焼室１９、熱交換板２１および暖気ダクト２５が鋳物からなっているので、一旦暖められた熱は輻射熱が発生し、運転終了後も暖かさを持続させることができる。
【００３２】
前記暖気ダクト２５が図７に示されているように、正面からみて少なくとも上下に上暖気ダクト２５Ｕと下暖気ダクト２５Ｄに分割され、その間に耐熱材９３を挟むようにするにすると共に左右方向に複数の温風吹き出し口２３を備えていることで、安全性および使用目的に合わせて異なった金属を組み合わせて製作することができる。また、暖気ダクト２５と熱交換板２１とを分離させることにより、熱交換板２１の材質および形状をより熱交換率のよい金属を使用することができる。暖気ダクト２５と熱交換板２１とをパッキン９５を挟んで接合することで暖気のもれをなくすことができる。暖気ダクト２５を最上部に設けたことにより、上蓋およびホットプレートとしての機能を持たせることができる。
【００３３】
前記送風ファン３７、排気ファン３３をそれぞれ制御し、送風量、排気量を調整する制御部２９を備えている。例えばこの制御部２９としては、例えば図８に示されているような送風量調整パネル９７が設けられている。図８において、中央部から左側に向けての上部、下部にはそれぞれ送風ファン３７の送風調整ボリューム群９９、排気ファン３３の送風調整ボリューム群１０１が配置されている。この送風ファン３７の送風調整ボリューム群９９はストーブおよびファン運転時の送風ファン３７の速度を調整するボリュームで、低速ボリューム９９Ａ、中速ボリューム９９Ｂ、高速ボリューム９９Ｃを有し、それぞれが後述するリモコン表記のＬｏ、Ｍｉｄ、Ｈｉの運転送風量にあたり、個別に設定を変更することができる。０にすると送風停止、１００で最大送風での稼働になる。
【００３４】
排気ファン３３の送風調整ボリューム群１０１はストーブ運転時の排気ファン３３の速度を調整するボリュームで、このボリュームを調整することで炎の揺らめき具合をコントロールすることができる。この炎の揺らめき具合はフロントドア２７に設けられている例えば耐熱性ガラスを通して見ることができる。その結果、人に安らぎを与えることができる。低速ボリューム１０１Ａ、中速ボリューム１０１Ｂ、高速ボリューム１０１Ｃを有し、それぞれが後述するリモコン表記のＬｏ、Ｍｉｄ、Ｈｉの運転送風量にあたり、各ボリュームにて個別に設定を変更することができる。０にすると送風停止、１００で最大送風での稼働になる。ボリュームを絞ると揺らめきは自然になりますが、不完全燃焼に近くなるためススが多量に発生する。燃焼はペレット燃料の質にも影響を受ける。
【００３５】
図８において、右側の上部、下部にはそれぞれ燃焼室温度表示器１０３、排気温度表示器１０５が配置されている。この燃焼室温度表示器１０３は燃焼室１９内の温度を表示し、このパネルの下段に表示されている温度以下にならないと送風ファン３７は止まらないようになっている。また、前記排気温度表示器１０５は排気温度を表示し、このパネルの下段に表示されている温度以下にならないと排気送風ファン３３は止まらないようになっている。
【００３６】
また、前記温度センサ６７は燃焼室１９内の温度を検出し、前記燃焼室温度表示器１０３に表示されるものであり、前記風量センサ７１は吸気、排気管が塞がれていないかを検出するものであり、さらに、転倒センサ６９が作動すると、燃料供給あるいは給排気を停止、または電源をオフにし、アラームランプがつくようになっている。
【００３７】
図９にはリモートコントローラ１０７が示されている。このリモートコントローラ１０７にはストーブｏｎ／ｏｆｆスイッチ１０９、ファンｏｎ／ｏｆｆスイッチ１１１および燃焼調整セレクター１１３が設けられている。そして、ストーブｏｎ／ｏｆｆスイッチ１０９はストーブとして運転する場合に使用するスイッチであり、運転中は常時点灯し、冷却運転中は点滅している。ｏｆｆ状態で一度押すとｏｎになり運転が開始される。ｏｆｆにする場合はもう一度押し、スイッチが点滅して冷却運転に入り、ペレット燃料の供給が停止される。３秒間スイッチを押し続けることで強制停止される。ファンｏｎ／ｏｆｆスイッチ１１１は送風ファンのみの運転（空気清浄機機能）をする場合に使用される。ｏｆｆ状態で一度押すとｏｎとなり、もう一度押すとｏｆｆになる。そして、スイッチは運転中は点灯し、ペレット燃料の供給や排気ファンは回らない。
【００３８】
燃焼調整セレクター１１３はストーブおよびファン運転時の送風量を調整するボリュームスイッチで、リモコン表記Ｌｏ、Ｍｉｄ、Ｈｉの各運転時には送風量がそれぞれ弱、中、強と変わり送風量と共にペレット燃料の供給も自動的に変化するようになっている。
【００３９】
図１および図２におけるペレット燃料用としての燃焼皿１７を、図１０および図１１に示したような構造の薪用燃焼皿１１５に交換することにより、薪を燃料として使用することができる。この場合、薪用燃焼受け皿１１７にはペレットシュート４７に熱が伝わりにくい機能を有した材質が使用される。図１０に矢印で示したごとく燃焼室１９に吸気管５７から強制的に空気を供給されるようになっているので、通常の薪ストーブより、より完全燃焼に近くでき、低公害になる。
【００４０】
図１２および図１３に示されているように、夏季などペレッストーブ１を不要時に暖気ダクト２５内に活性炭、間伐材などによる空気浄化フイルタ１１９を備えることによって吸気管５７から暖気ダクト２５内の空気浄化フイルタ１１９を温風吹き出し口２３までの空気の流れのみを機能させて空気清浄機として使用することができる。この場合には送風ファン３７のみが作動されるものである。不用になった空気浄化フイルタ１１９は、スト−ブ稼働時に燃料の一部として使用することができる。  
【図面の簡単な説明】
【００４１】
【図１】この発明のペレットストーブの側面断面図で、燃焼および給排の状態を示した図である。
【図２】この発明のペレットストーブの側面断面図で、ペレット燃料の供給状態を示した図である。
【図３】図２におけるIII矢視部の拡大図である。
【図４】図３における上板のみの平面図である。
【図５】図３における上板と中板との関係を示した平面図である。
【図６】図３におけるVI−VIに沿った矢視図である。
【図７】図１における暖気ダクトに代わる他の例の拡大正面図である。
【図８】制御部の送風量調整パネルを示した図である。
【図９】リモートコントロ−ラを示した図である。
【図１０】図２における燃焼皿を薪用燃焼皿に交換して薪スト−ブとして使用する例を示した側面図である。
【図１１】図１０における正面図である。
【図１２】図２における暖気ダクト内に空気浄化フイルタを備えて空気清浄機として使用する例を示した側面図である。
【図１３】図１２における正面図である。
【符号の説明】
【００４２】
１  ペレットストーブ
５  ベ−ス
７  前側本体
９  後側本体
１３  灰トレ−
１５  燃焼ボックス
１７  燃焼皿
１９  燃焼室
２１  熱交換板
２３  温風吹き出し口
２５  暖気ダクト
２７  フロントドア
２９  制御部
３１  フレ−ム
３３  排気ファン
３７  送風ファン
３９  ファン収納部
４１  ペレットタンク
４５  ペレット供給調整装置
４７  ペレットシュート
４９  排気ダクト
５１  排気口
５３、５７  吸気管
５５  壁
６１  プレート
６３  送風ダクト
６５  遮熱板
６７  温度センサ
６９  転倒センサ
７１  風量センサ
７３  上板
７５  中板
７７  下板
７９  ペレット供給口
８１  ペレット排出口
８５  インダクションモータ
９１  ブリッジブレイカ−
９３  耐熱材
９５  パッキン
９７  送風量調整パネル
９９、１０１  送風調整ボリュ−ム  
１０３  燃焼温度表示器
１０５  排気温度表示器
１０７  リモ−トコントロ−ラ
１０９  スト−ブｏｎ／ｏｆｆスイッチ
１１１  ファンｏｎ／ｏｆｆスイッチ
１１３  燃焼調整セレクタ
１１５  薪用燃焼皿
１１７  薪用燃焼受け皿
１１９  空気浄化フイルタ
【図１】
2005061713.tif 000003
【図２】
2005061713.tif 000004
【図３】
2005061713.tif 000005
【図４】
2005061713.tif 000006
【図５】
2005061713.tif 000007
【図６】
2005061713.tif 000008
【図７】
2005061713.tif 000009
【図８】
2005061713.tif 000010
【図９】
2005061713.tif 000011
【図１０】
2005061713.tif 000012
【図１１】
2005061713.tif 000013
【図１２】
2005061713.tif 000014
【図１３】
2005061713.tif 000015